(57)【要約】      （修正有）【課題】テーブルにおける天板や椅子における背座部等を支持する脚体として適用することができるものにおいて、脚羽根の本数や開き角度を高い自由度で変更することができ、脚羽根の脚柱に対する取付強度の高い脚体を提供する。【解決手段】脚体１を、脚柱２と、複数の脚羽根３と、脚柱２の下端部に取り付けられ複数の脚羽根３を支持するコア部材４と、複数の脚羽根３をコア部材４に固定する固定部材５とから構成し、各脚羽根３の基端部に、コア部材４及び固定部材５に支持される被支持部３１を共通して形成する一方、これらコア部材４に、いずれも任意の脚羽根３における被支持部３１に対応して固定部材５と共に脚羽根３を支持する支持部４１３を形成することで、脚柱２に取り付けた何れか一のコア部材４に対しそれに対応する本数の脚羽根３を所定の開き角度で共通の固定部材５により固定するように構成した。【選択図】図３
2005143762.tif 000002
【特許請求の範囲】
【請求項１】
脚柱と、該脚柱を中心として基端部を集合させ放射状をなして配置され床面に接地する複数の脚羽根と、前記脚柱の下端部に取り付けられ前記複数の脚羽根を支持するコア部材と、前記複数の脚羽根を前記コア部材に固定する固定部材とを具備してなり、
前記各脚羽根が基端部に、前記コア部材及び固定部材に支持される被支持部を共通して具備し、前記コア部材は、前記脚羽根の取付本数及びそれら脚羽根間の開き角度に対応した複数のコア部材から選択される一のコア部材が適用されるものであり、これらコア部材が、いずれも任意の脚羽根における前記被支持部に対応して前記固定部材と共に脚羽根を支持する支持部を有するものであって、前記脚柱に取り付けた何れか一のコア部材に対しそれに対応する本数の脚羽根を所定の開き角度で共通の前記固定部材により固定するように構成していることを特徴とする脚体。
【請求項２】
前記各コア部材が、前記支持部と、前記固定部材を配置する固定部材配置部とを有するコア本体を共通に具備している請求項１記載の脚体。
【請求項３】
前記固定部材が、脚羽根をコア部材に固定するボルト及びナットを具備しており、前記コア本体が固定部材配置部として、前記ボルトの軸部を挿通させるとともに、上端部側に前記ナット又はボルトの頭部の何れか一方を下端部側に他方を配置し得る筒状部を形成している請求項２記載の脚体。
【請求項４】
前記各脚羽根の基端部に、前記被支持部として上方へ突出する上突部を形成し、前記コア本体に、筒状部の上端部に脚柱の下端部に取り付けるための取付部を形成するとともに、該取付部と筒状部との間に前記支持部として前記上突部を挿入させる嵌合凹部を形成している請求項３記載の脚体。
【請求項５】
前記各脚羽根の基端部に、前記被支持部として上方へ突出する上突部を形成し、前記コア本体に、前記支持部として前記上突部を挿入させる嵌合凹部を形成している請求項１、２又は３記載の脚体。
【請求項６】
前記各脚羽根の基端部に、前記被支持部として下方へ突出する下突部を形成するとともに、前記固定部材が、前記コア本体の下端部側に配置され前記下突部を上方から挿入させる嵌合凹部を有し前記ボルトの頭部又はナットの何れか一方を当接させる脚羽根受け部材を具備するものとしている請求項４又は５記載の脚体。
【請求項７】
コア部材に、取り付け可能な脚羽根の本数及びそれら脚羽根間の開き角度を規定する規定部を形成している請求項１、２、３、４、５又は６記載の脚体。
【請求項８】
前記コア部材に、前記規定部として、支持部に配置した脚羽根間に介在させるスペーサ部を形成している請求項７記載の脚体。
【請求項９】
前記スペーサ部が、前記脚柱の外周面と略面一な外面を有している請求項７又は８記載の脚体。
【請求項１０】
前記複数のコア部材のうち最多本数の脚羽根を支持し得るコア部材には、前記規定部を形成していない請求項７、８又は９記載の脚体。
【請求項１１】
前記コア部材の上端部に、パイプ状をなす前記脚柱の内壁に当接し得るように上方へ突出させた姿勢安定部を形成している請求項１、２、３、４、５、６、７、８、９又は１０記載の脚体。
【請求項１２】
前記コア部材に、前記被支持部及び高さ寸法が共通であり且つ長手寸法の異なる複数種類の脚羽根を同時に取付可能としている請求項１、２、３、４、５、６、７、８、９、１０又は１１記載の脚体。
【発明の詳細な説明】
【技術分野】
【０００１】
本発明は、テーブルや椅子等の家具に適用される脚体に関するものである。
【背景技術】
【０００２】
従来より、天板や椅子等の脚部として、脚柱とその下端部に設けられた複数の脚羽根とから構成される脚体が各種知られている。この種の脚体には、複数の脚羽根を基端部において一体化して脚柱の下端部に取り付けたものや、個別の所定本数の脚羽根の基端部を脚柱の下端部に集合させて取り付けたものがある（例えば、特許文献１参照）。後者の例として同文献に記載の脚体は、テーブルの脚部に適用されるものである。具体的には、角パイプ状をなす脚柱の下端部において、当該脚柱の４つの立壁にそれぞれ下方から合計４本の脚羽根を引っ掛けた状態として更に下方からリング状の係合部材をそれら脚羽根に同時に係合させ、天板受けから脚柱の内部を通過させた長いボルトをナットにて前記係合部材ごと締め込むように構成してある。
【特許文献１】特開２０００−２４５５３７公報
【発明の開示】
【発明が解決しようとする課題】
【０００３】
ところが、このような構成の脚体においては、脚柱に取り付けられるべき脚羽根の本数や脚羽根間の開き角度が予め定められているため、天板の形状に対応して脚羽根の本数や開き角度を変更したり、天板下の下肢空間を拡げたり狭めたりするというような変更をすることができない。また、脚羽根を脚柱に固定するボルトが、脚柱の下端から天板受けにまで亘る極めて長いものであるため、座屈や捻れ、湾曲の虞があり、脚羽根が緩み脚体としての機能を果たさなくなるという可能性も考えられる。
【０００４】
そこで本発明は、以上のような問題に鑑みて、テーブルにおける天板や椅子における背座部等を支持する脚体として適用することができるものにおいて、その支持物の形状や確保すべき下肢空間の広さ等に対応して脚羽根の本数や開き角度を高い自由度で変更することができ、脚羽根の脚柱に対する取付強度の高い脚体を提供しようとするものである。
【課題を解決するための手段】
【０００５】
すなわち、本発明の脚体は、脚柱と、この脚柱を中心として基端部を集合させ放射状をなして配置され床面に接地する複数の脚羽根と、脚柱の下端部に取り付けられ複数の脚羽根を支持するコア部材と、複数の脚羽根をコア部材に固定する固定部材とを具備してなり、各脚羽根が基端部に、コア部材及び固定部材に支持される被支持部を共通して具備しており、コア部材は、脚羽根の取付本数及びそれら脚羽根間の開き角度に対応した複数のコア部材から選択される一のコア部材が適用されるものであり、これらコア部材が、いずれも任意の脚羽根における被支持部に対応して固定部材と共に脚羽根を支持する支持部を有するものであって、脚柱に取り付けた何れか一のコア部材に対しそれに対応する本数の脚羽根を所定の開き角度で共通の固定部材により固定するように構成していることを特徴としている。
【０００６】
このような構成の脚体であれば、共通構成の基端部を有する脚羽根を用いていれば、脚羽根の本数や脚羽根間の開き角度に応じたコア部材を選択して用いることで、テーブルにおける天板や椅子における背座部等の大きさ、形状などの条件に対応して、コア部材以外の部材を共通に使用して適切な脚体を形成することが可能であり、コスト面でも低減を図ることができ、これまでにない優れた脚体を提供できるようになる。
【０００７】
斯かる脚体においては、前述の通りコア部材以外の部材を共通化することができるが、コア部材についても脚羽根に対する支持構造等は共通化しておくことが好ましい。そのためには、各コア部材に、脚羽根を支持する支持部と、固定部材を配置する固定部材配置部とを有するコア本体を共通に設けておくとよい。
【０００８】
さらに固定部材を簡易な構成とするには、当該固定部材が、脚羽根をコア部材に固定するボルト及びナットを具備するものとすればよく、この固定部材に対応してコア部材の簡素化を図るには、コア本体に、固定部材配置部としてボルトの軸部を挿通させるとともに、上端部側にナット又はボルトの頭部の何れか一方を下端部側に他方を配置し得る筒状部を形成することが望ましい。またこのように構成することで、ボルトの軸部の長さをコア部材よりも若干長いものとすれば足りるので、従来のような脚柱の高さ寸法以上の長いボルトを使用した場合に生じるような座屈や捻れ、湾曲などの不具合も起こることがない。
【０００９】
さらに、このようなコア部材に形成した筒状部を有効に活用しつつ、脚羽根とコア部材との取付構造を簡素化し、製造工程の簡略化及び組立作業の簡易化を図るには、各脚羽根の基端部に、被支持部として上方へ突出する上突部を形成し、コア本体に、筒状部の上端部に脚柱の下端部に取り付けるための取付部を形成するとともに、その取付部と筒状部との間に支持部として上突部を挿入させる嵌合凹部を形成するとよい。
【００１０】
なお、コア部材に筒状部を形成するか否かは問わず、同様に脚羽根とコア部材との取付構造を簡素化し、製造工程の簡略化及び組立作業の簡易化を図るには、各脚羽根の基端部に、被支持部として上方へ突出する上突部を形成し、前記コア本体に、前記支持部として前記上突部を挿入させる嵌合凹部を形成してもよい。
【００１１】
さらに、脚羽根と固定部材との取付構造の簡素化をも図りながら、固定部材を利用した脚羽根のコア部材への取付強度を向上させるためには、各脚羽根の基端部に、被支持部として下方へ突出する下突部を形成する一方、固定部材に、コア本体の下端部側に配置され前記下突部を上方から挿入させる嵌合凹部を有しボルトの頭部又はナットの何れか一方を当接させる脚羽根受け部材を設けることが好ましい。
【００１２】
また、コア部材ごとに取り付け得る脚羽根の本数とそれら脚羽根間の開き角度とを異なるようにするためには、コア部材に、取り付け可能な脚羽根の本数及びそれら脚羽根間の開き角度を規定する規定部を形成することが望ましい。斯かる規定部として適切な形態には、コア部材に、支持部に配置した脚羽根間に介在させるスペーサ部を形成したものが挙げられる。そして、このようなコア部材を外観上、脚柱と一体化させ、見栄えを良好なものとするためには、スペーサ部に、脚柱の外周面と略面一な外面を形成するとよい。
【００１３】
なお、最多本数の脚羽根を支持させるためのコア部材には、規定部を設けないようにすることもできる。
【００１４】
また、脚柱がパイプ状をなす部材である場合、コア部材を部分的に脚柱と嵌め合わせるようにして、脚柱とコア部材との姿勢を安定させるには、コア部材の上端部に、脚柱の内壁に当接し得るように上方へ突出させた姿勢安定部を形成することが好ましい。
【００１５】
さらに、以上のような脚体であれば、支持されることになる天板や背座部等の上部構造や、下肢空間の広さ等の諸条件に対応して、コア部材に、被支持部及び高さ寸法が共通であり且つ長手寸法の異なる複数種類の脚羽根を同時に取り付けることが可能となり、脚羽根及び脚体のバリエーションも豊富にすることができるようになる。
【発明の効果】
【００１６】
本発明に係る脚体によれば、脚羽根の基端部における脚柱に対する被支持部を共通構成として、所望の脚羽根の本数や脚羽根間の開き角度に応じたコア部材を選択して用いると、共通の固定部材によって脚羽根をコア部材に取り付けることができる。そのため、その脚体によって支持されるテーブルにおける天板や椅子における背座部等の大きさ、形状、或いは必要な下肢空間の広さ等の諸条件に対応した脚体を高い自由度で構築することが可能となり、それに際してコア部材以外の部材を共通に使用することができるため、コスト面でも低減を図ることが可能である。さらに、同一の脚体に適用される脚羽根間で基端部の構成と高さ寸法さえ共通であれば長手寸法が異なっていても本発明の脚体を構成することができるので、脚羽根及び脚体全体のバリエーションを豊富なものとすることが可能である。
【発明を実施するための最良の形態】
【００１７】
以下、本発明の一実施形態を、図面を参照して説明する。
【００１８】
この実施形態は、図１及び図７に示す脚体１であって、いずれも天板ＴＴ１（図１）、ＴＴ２（図７）を支持してテーブルＴ１（図１）、Ｔ２（図７）を構成するものである。図示例では、テーブルＴ１においては平面視概略長方形状をなす小型の矩形天板ＴＴ１の下面側中央部を１本の脚体１によって、テーブルＴ２においては平面視概略楕円形状をなす大型のラウンド天板ＴＴ２の下面側中央部を挟んで両側端部を各１本の脚体１によって、それぞれ直接又は適宜の天板受け部材を介して支持させている。脚体１は、基本的には鉛直方向に延びる１本の脚柱２と、脚柱２の下端部に基端部を集合させた複数本の脚羽根３とを備えており、テーブルＴ１では４本の脚羽根３を設け、テーブルＴ２では２本の脚羽根３を設けるようにするために、脚柱２の下端部と脚羽根３の基端部との間に、それぞれ部分的に構成の異なるコア部材４Ａ（テーブルＴ１に適用、図１では脚羽根３に隠れているため外観上現れていない、図２〜図６参照）、４Ｂ（テーブルＴ２に適用）を設けている。なお、これらコア部材４Ａ、４Ｂを総称する場合には、説明の都合から符号４を用いることとする。さらに各脚羽根３は、何れの脚体１においても共通の固定部材５を利用してコア部材５に取り付けている（但し、図１に示す脚体１では、固定部材５も脚羽根３に隠れているため外観上現れていない、図３を参照）。また、脚羽根３は図１に示すように、基本的に基端部から先端部までの長手寸法のみが異なる長短２種類のタイプがあり、長い方を符号３（Ｌ）で短い方を符号３（Ｓ）で示しているが、説明の都合上、これら脚羽根３（Ｌ）及び３（Ｓ）を総称する場合には符号３を用いることとする。なお、テーブルＴ２においては、各脚体１に長い方の脚羽根３（Ｌ）を２本ずつ用いている。さらに、脚羽根３の先端部には、いずれもキャスタ３Ｃを設けているが、これらキャスタ３Ｃの代わりにアジャスタその他の接地部材を設けることもできる。
【００１９】
まず脚柱２は、図１及び図７に示すように、テーブルＴ１及びＴ２に共通して適用されたものであり、本実施形態では、所定の外径及び内径寸法を有する丸パイプ材を必要な天板ＴＴ１、ＴＴ２の高さに応じて適宜長さで切断したものを使用している。
【００２０】
次に脚羽根３は、脚柱２の下端部側に配置される基端部からキャスタ３Ｃ等の接地部材を取り付けた先端部までを長手方向とする細長い部材である。これら脚羽根３は、例えばアルミダイキャスト製造等の一体成形により得られるものである。そして、図２、図３、及び図８、図９に示すように、各脚羽根３に共通する構成として、基端部に、コア部材４及び固定部材５に支持させるための被支持部３１を形成している。なお、図２及び図７は、脚柱２の任意の高さ位置で破断して下方視した状態を示しており、支柱２と固定部材５を省略してコア部材４と脚羽根３とを表している。この被支持部３１は、脚羽根３の製造時に基端部の肉厚を大きくしブロック状に形成したものであり、脚柱２の内径よりも小さい平面視扇形をなすように形成してある。斯かる被支持部３１の平面視形状の扇形は、脚柱２の中心線を中心とした内角略９０°をなすものであり、鉛直方向に延びる基端面３１ａも同様の平面視扇形をなして湾曲させている。そして、被支持部３１には、上述のような扇形の平面視形状を維持しつつ上方へ突出する上突部３２（図２及び図７においては網掛けを付して示す）と下方へ突出する下突部３３とを形成している。
【００２１】
次に、コア部材４の構成について図２、図３、図４、図５、図６（以上、テーブルＴ１について）、及び図８、図９、図１０、図１１、図１２（以上、テーブルＴ２について）を参照して説明する。まず、コア部材４は、例えばアルミダイキャスト等により各部一体に形成される部材であるが、各コア部材４Ａ及びコア部材４Ｂに共通の構成として、脚羽根３を固定部材５と共に支持する支持部としての機能、及び固定部材５を配置するための固定部材配置部としての機能を有するコア本体４１を有している。具体的にコア本体４１は、前記固定部材配置部として機能させるべく脚柱２の内部においてその中心線に中心を合致させた丸パイプ状をなす筒状部４１１と、この筒状部４１１の上端側において脚柱２に内嵌させて取り付けるための取付部４１２とを主体としている。取付部４１２は、筒状部４１１と中心を共有する円環状をなす部材であり、その外形寸法を脚柱２の内径寸法と略合致させ、内径寸法を筒状部４１１の外形寸法よりも大きくしている。そして、筒状部４１１の外壁と取付部４１２の内壁との間に形成される円環状の嵌合凹部４１３を前記支持部として機能させるようにしている。また、取付部４１２の下端部には、外周面を脚柱２の外周面と略面一としたリング状の鍔部４１２ａを形成しており、この取付部４１２を脚柱２内に下方から挿入した場合に、脚柱２の下端が鍔部４１２ａに載置されるようにしている。そしてこのように嵌合させた脚柱２とコア本体４１の姿勢を安定させるために、取付部４１２の上面には、外面を脚柱２の内壁に対応した部分円弧状として上方へ突出させた立壁状をなす姿勢安定部４１４を対向位置に一対形成しており、この姿勢安定部４１４の外面と脚柱２の内壁とを当接し得るようにしている。なお、筒状部４１１と取付部４１２とは、筒状部４１１の上端部において略９０°間隔で外方へ突出させた合計４本のリブ４１５によって連結させている。
【００２２】
ここで、図２に網掛けを付して示すように、テーブルＴ１に適用した脚体１においては、４本の脚羽根３を相互に９０°の開き角度で設けており、隣接する脚羽根３の基端部における被支持部３１の起立側壁３１ｂ同士を当接させるようにしているので、４本の脚羽根３１自体によってコア部材４Ａに対する取付本数及びそれらの開き角度（９０°）が規定される。そのため、コア部材４Ａは、コア本体４１のみによって構成されることになる。
【００２３】
それに対して、図８に網掛けを付して示すように、テーブルＴ２に適用した脚体１においては、２本の脚羽根を１２０°の開き角度で設けているので、コア部材４Ｂの構成によって脚羽根３の取付本数（２本）及びそれらの開き角度（１２０°）を規定する必要がある。そのため、コア部材４Ｂには、取り付けるべき脚羽根３の本数と、それらの相互開き角度を規定するための規定部４２を形成している。具体的に説明すると、この規定部４２は、コア本体４１における取付部４１２の下端から一体に垂下させて嵌合凹部４１３を阻害しないように形成した壁状をなすスペーサ部４２Ｂ１、４２Ｂ２から構成される。すなわち、これらスペーサ部４２Ｂ１、４２Ｂ２は、図８に斜線（破線）を付して示すように、平面視扇形をなすように形成したものであり、その外面を取付部４１２の鍔部４１２ｂの外面及び脚柱２の外周面と略面一をなすようにしており、各スペーサ部４２Ｂ１、４２Ｂ２の側面が脚羽根３の基端部における起立側面３１ｂと当接するようにしている。したがって、脚羽根３同士のなす角度のうち、内角側に介在するスペーサ部４２Ｂ１の中心角は約３０°に設定してあり、外角側に介在するスペーサ部４２Ｂ２の中心角は約１５０°に設定してある。なお、各スペーサ部４２Ｂ１、４２Ｂ２は、それぞれ１つ又は２つのリブ４３によって筒状部４１１の外周面と連結されている。
【００２４】
以上のような脚羽根３をコア部材４に固定するための固定部材５は、各コア部材４に共通して適用可能なものである。本実施形態ではコア部材４を、図３及び図９に示すように、複数の脚羽根３を下方から同時に支持できるようにした脚羽根受け部材５１と、脚羽根３を支持した状態の脚羽根受け部材５１をコア部材４に共締めするためのボルト５２及びナット５３とから構成している。脚羽根受け部材５１は、中央部にボルト５２の軸部を挿通するための貫通孔５１ａを形成した扁平なドーナツ型をなす部材である。脚羽根受け部材５１の上面側には、貫通孔５１ａを取り巻くように上方へ開口させた環状溝型の嵌合凹部５１ｂを形成しており、この嵌合凹部５１ｂに各脚羽根３の基端部の被支持部３１における下突部３３を挿入させて嵌め合わせるようにしている。一方、下面側には、ボルト５２の頭部を収容する凹部５１ｃを下方に開放させて形成している。そして、この凹部５１ｃを通じて下方からボルト５２を挿入し、そのボルト５２の軸部を脚羽根受け部５１の貫通孔５１ａ及びコア部材４の筒状部５１１内に通過させるとともに、当該軸部の先端部（上端部）をコア部材４よりも上方へ突出させてナット５３で締め込むようにしている。なお、ナット５３は、脚柱２の内壁に溶接等により固定した概略矩形板状をなす、いわゆる板ナットであり、このナット５３の外周と脚柱２の内壁との間のクリアランスに、コア部材４の一対の姿勢安定部４１４、４１４が挿入されるようにしており、このようにすることでコア部材４の脚柱２に対する水平回転が抑制されるように構成してある。この状態でボルト５２とナット５３とを強く締めると、複数の脚羽根３がコア部材４及び固定部材５によって剛結され、且つコア部材４が支柱２に剛結されることとなる。
【００２５】
本実施形態では、以上に述べた他に、規定部４２の配置を変更したコア部材４を用いることで、脚羽根３の本数とそれらの開き角度を変更した脚体１を構成することができる。そのうち数例を、上述した図２及び図８に倣って図１３に示す。同図（ａ）に示す脚体１は、２本の脚羽根３を９０°の開き角度で設けたものである。そのためにコア部材４Ｃに、中心角約１８０°のスペーサ部４２Ｃからなる規定部４２を設けている。また、同図（ｂ）に示す脚体１は、２本の脚羽根３を１８０°の開き角度で設けたものである。そのためにコア部材４Ｄに、２つの中心角約９０°のスペーサ部４２Ｄからなる規定部４２を設けている。さらに、同図（ｃ）に示す脚体１は、３本の脚羽根３を１２０°の開き角度で設けたものである。そのためにコア部材４Ｄに、３つの中心角約３０°のスペーサ部４２Ｅからなる規定部４２を設けている。
【００２６】
以上のように、本実施形態に係る脚体１は、脚柱２を中心に基端部を集合させた複数の脚羽根３をコア部材４に対し固定部材５を用いて取り付けるに際して、各脚羽根３が基端部における被支持部３１の構成と固定部材５を共通のものとするとともに、所望の脚羽根３の本数と脚羽根３間の開き角度に対応したコア部材４を用いるように構成している。そのため、テーブルＴ１、Ｔ２の天板ＴＴ１、ＴＴ２の形状の違いや重量、確保すべき下肢空間の広さ等の条件に応じて、その都度適切な脚体１を形成することが可能であり、このようにコア部材４以外の部材の共通化を図ることで、製造コストの低減をも図ることができる。
【００２７】
また、コア部材４は、固定部材５と共に脚羽根３を支持する支持部と、固定部材５を配置する固定部材配置部とを有するコア本体を共通に有しているので、部分的にはコア部材４の構造の共通化も図ることができる。
【００２８】
さらに、固定部材５は、ボルト５２及びナット５３を有しているので構成や組み立てが簡素であり、さらにこのような固定部材５に対応してコア部材４は、コア本体４１に前述の固定部材配置部としてボルト５２の軸部を挿通させて上端部側にナット５３を載置し下端部側にボルト５２の頭部を位置付けるように構成した筒状部４１１を設けているので、コア部材４の基本構成の簡易化も図りつつ、ボルト５２の全長をせいぜいコア部材４の高さ寸法よりも若干長いものとすればよいので、固定部材５としてのボルト５２の座屈や捻れ、湾曲などの不具合も回避することができる。
【００２９】
また、コア本体４１を、前述の筒状部４１１とその上端部に配置した取付部４１２とから構成し、これら筒状部４１１取付部４１２との間に形成される嵌合凹部４１３に、各脚羽根３の基端部に被支持部３１として形成した上突部３２を挿入させるようにしているので、コア本体４１のさらなる構造の簡素化を実現しつつ、コア本体４１と脚羽根３との組み付け状態を良好且つ強固なものとすることができる。そして、固定部材５として脚羽根３の下方からあてがわれる脚羽根受け部材５１に嵌合凹部５１ｂを形成して、この嵌合凹部５１ｂに脚羽根３の被支持部として形成した下突部３３を嵌め合わせた上で、上述のようにボルト５２とナット５３で共締めするようにしているので、脚羽根３をコア部材４に対して非常に強固に取り付けることが可能である。
【００３０】
また、コア部材４には、それぞれ取り付け可能な脚羽根３の本数及びそれら脚羽根３間の開き角度を規定する規定部４２を形成しており、この規定部４２として脚羽根３間に介在させるスペーサ部４２Ｂ〜４２Ｅを形成しているので、コア部材４ごとに取り付け得る脚羽根３の本数とそれら脚羽根３間の開き角度とを異なるようにすることを容易に実現することができる。さらに、このスペーサ部４２Ｂ〜４２Ｅの外面を、脚柱２の外周面と略面一としていることから、コア部材４と脚柱２との外観上の一体化を図ることができる。なお本実施形態では、コア部材４に対する最多取付本数である４本の脚羽根３を使用する場合には、隣接する脚羽根３同士の関係で、その本数と開き角度（９０°）が規定されるようにしているので、コア部材４Ａには、規定部４２を設ける必要がなく、コア本体４１のみでコア部材４Ａを形成することが可能である。
【００３１】
また、コア部材４の上端部に形成した上方へ突出する姿勢安定部４１４を脚柱２の内壁に当接させているので、コア部材４が脚柱２と緊密に嵌まり合うこととなって、脚柱２とコア部材４との姿勢及び取付状態の安定化とを安定を容易に図ることができる。
【００３２】
また、本実施形態の脚体１は以上のような構成であるので、長手寸法の異なる複数種類の脚羽根３（Ｌ）、３（Ｓ）を同一のコア部材４に取り付けることも可能であり、脚羽根３及び脚体１の形態上のバリエーションを極めて豊富にすることができる。
【００３３】
なお、上述した各コア部材以外にも、スペーサ部の設け方によって１〜４本の範囲で脚羽根を適宜の開き角度にて配置することが可能である。また、脚羽根３の基端部の大きさを変更することで、１つのコア部材に５本以上の脚羽根を取り付けるようにしたり、隣接する３本以上の脚羽根の各開き角度を不均等にすることも可能である。また、脚羽根についても、長短２種類の長手寸法のもののみならず、適宜の長手寸法を有する脚羽根を適用することができる。さらに、脚体の構成部材の形状や大きさ、素材等の各部の具体的構成にや、脚体に支持される家具の上部構造の種類ついても上記実施形態に限られるものではなく、本発明の趣旨を逸脱しない範囲で種々変形が可能である。
【図面の簡単な説明】
【００３４】
【図１】本発明の一実施形態において一コア部材を使用した脚体を適用したテーブルを示す斜視図。
【図２】同脚体の要部を示す概略平面図。
【図３】同脚体の要部を図２においてＡ−Ａ線で破断して示す概略縦断面図。
【図４】同コア部材を示す斜視図。
【図５】同正面図。
【図６】同コア部材を図５におけるＡａ−Ａａ線、Ａｂ−Ａｂ線、Ａｃ−Ａｃ線で破断して示す端面図。
【図７】同実施形態において他のコア部材を使用した脚体を適用したテーブルを示す斜視図。
【図８】同脚体の要部を示す概略平面図。
【図９】同脚体の要部を図８においてＢ−Ｂ線で破断して示す概略縦断面図。
【図１０】同コア部材を示す斜視図。
【図１１】同正面図。
【図１２】同コア部材を図１１におけるＢａ−Ｂａ線、Ｂｂ−Ｂｂ線、Ｂｃ−Ｂｃ線で破断して示す端面図。
【図１３】同実施形態において更に他のコア部材を適用した状態を示す概念的な平面図。
【符号の説明】
【００３５】
１…脚体
２…脚柱
３…脚羽根
４…コア部材
５…固定部材
３１…被取付部
３２…上突部
３３…下突部
４１…コア本体
４２…規定部
４２Ｂ１、４２Ｂ２、４２Ｃ、４２Ｄ、４２Ｅ…スペーサ部
５１…脚羽根受け部材
５２…ボルト
５３…ナット
４１１…固定部材配置部（筒状部）
４１２…取付部
４１３…支持部（嵌合凹部）
４１４…姿勢安定部
５１ｂ…嵌合凹部
【図１】
2005143762.tif 000003
【図２】
2005143762.tif 000004
【図３】
2005143762.tif 000005
【図４】
2005143762.tif 000006
【図５】
2005143762.tif 000007
【図６】
2005143762.tif 000008
【図７】
2005143762.tif 000009
【図８】
2005143762.tif 000010
【図９】
2005143762.tif 000011
【図１０】
2005143762.tif 000012
【図１１】
2005143762.tif 000013
【図１２】
2005143762.tif 000014
【図１３】
2005143762.tif 000015